(57)【要約】【課題】携帯電話機の機能に予め優先順位を指定しておき、携帯電話機の動作中に割込みがあった場合でも、優先順位の高い機能を他に優先して動作させるようにした優先制御機能付携帯電話機を提供することを目的とする。【解決手段】全体制御部１１０と、送受信制御部１２０と、優先指定動作制御部１３２を備えた回線使用優先制御部１３０と、機能優先順位設定部１４２を備える入力部１４０と、表示部１５０と、記憶部１６０と、電源制御部１７０と、を有する通話機能を含む複数の機能を備える携帯電話機であって、選択した機能を他の機能に優先して動作する機能を有するようにした。【選択図】　　　　図１
2004015717.tif 000002
【特許請求の範囲】
【請求項１】
全体制御部と、送受信制御部と、優先指定動作制御部を備える回線使用優先制御部と、機能優先順位設定部を備える入力部と、表示部と、記憶部と、電源制御部と、を有する通話機能を含む複数の機能を備える携帯電話機であって、選択した機能を他の機能に優先して動作する機能を有するようにしたことを特徴とする優先制御機能付携帯電話機。
【請求項２】
請求項１に記載の優先制御機能付携帯電話機において、現在位置を検出する位置検出部を有し、入力部が目的地及び通過地点設定部及びこれらの地点に到着したことを通報する通報先電話番号及びメールアドレス設定部を備え、また通報先電話番号及びメールアドレス送信制御部を有することを特徴とする優先制御機能付携帯電話機。
【請求項３】
優先して動作する機能を１又は複数設定することができる機能を有することを特徴とする請求項１又は請求項２に記載の優先制御機能付携帯電話機。
【請求項４】
選択された機能が動作を開始した状態で、より優先度の高い機能の割込みが発生すると、実行中の機能の動作を止めてウェイトさせ、割込んだ機能を優先して動作する機能を有することを特徴とする請求項１〜請求項３のいずれか１項に記載の優先制御機能付携帯電話機。
【請求項５】
動作している機能がウェイトした場合又は終了した場合、より優先度の低い機能を継続して動作する機能を有することを特徴とする請求項４に記載の優先制御機能付携帯電話機。
【請求項６】
選択された機能より優先度の低い機能の割込みが発生した場合、優先度の高い機能の動作がウェイト又は終了するまで、待機させる機能を有することを特徴とする請求項１〜請求項４のいずれか１項に記載の優先制御機能付携帯電話機。
【請求項７】
割込まれた機能の動作を中断させるため、ウェイト状態にする機能を有することを特徴とする請求項４に記載の優先制御機能付携帯電話機。
【請求項８】
より優先度の低い機能の動作がウェイト状態になる場合、それを示す警報又はメッセージを出力する機能を有することを特徴とする請求項６に記載の優先制御機能付携帯電話機。
【請求項９】
より優先度の高い割込みが発生したことを示す警報又はメッセージを出力する機能を有することを特徴とする請求項４に記載の優先制御機能付携帯電話機。
【発明の詳細な説明】
【０００１】
【発明の属する技術分野】
本発明は、他の機能に優先して動作する機能を有する優先制御機能付携帯電話機に関する。
【０００２】
【従来の技術】
最近の携帯電話機には、本来の通話機能の他に各種の機能を有するものが提供されている。
【０００３】
【発明が解決しようとする課題】
本発明は、このような携帯電話機の機能に予め優先順位を付けておき、携帯電話機の動作中に割込みがあった場合でも、優先順位の高い機能を他に優先して動作させるようにした優先制御機能付携帯電話機を提供することを目的とする。
【０００４】
【課題を解決するための手段】
上記目的を達成するために、本発明の携帯電話機は、全体制御部と、送受信制御部と、優先指定動作制御部を備える回線使用優先制御部と、機能優先順位設定部を備える入力部と、表示部と、記憶部と、電源制御部と、を有する通話機能を含む複数の機能を備える携帯電話機であって、選択した機能を他の機能に優先して動作する機能を有する。
【０００５】
また、現在位置を検出する位置検出部を有し、入力部が目的地及び通過地点設定部及びこれらの地点に到着したことを通報する通報先電話番号及びメールアドレス設定部を備え、また通報先電話番号及びメールアドレス送信制御部を有する。
さらに、優先して動作する機能を１又は複数設定することができる機能を有する。
さらに、選択された機能が動作を開始した状態で、より優先度の高い機能の割込みが発生すると、実行中の機能の動作を止めてウェイトさせ、割込んだ機能を優先して動作する機能を有する。
【０００６】
さらに、動作している機能がウェイトした場合又は終了した場合、より優先度の低い機能を継続して動作する機能を有する。
さらに、選択された機能より優先度の低い機能の割込みが発生した場合、優先度の高い機能の動作がウェイト又は終了するまで、待機させる機能を有する。
さらに、割込まれた機能の動作を中断させるため、ウェイト状態にする機能を有する。
【０００７】
さらに、より優先度の低い機能の動作がウェイト状態になる場合、それを示す警報又はメッセージを出力する機能を有する。
さらに、より優先度の高い割り込みが発生したことを示す警報又はメッセージを出力する機能を有する。
【０００８】
【発明の実施の形態】
本発明の実施の形態を実施例にもとづき図面を参照して説明する。
図１は、実施例１の携帯電話機の構成を示すブロック図である。
携帯電話機１００は、全体を制御する全体制御部１１０と、アンテナ１２２を介して外部との通信を行う送受信制御部１２０と、優先指定動作制御部１３２を備える回線使用優先制御部１３０と、機能優先順位設定部１４２を備える入力部１４０と、機能優先選択メニューも表示可能な表示部１５０と、設定した機能優先順位等を記憶する記憶部１６０と、携帯電話機全体への必要な電力の供給を制御する電源制御部１７０を有し、優先して動作する機能を１又は複数設定することができる機能、選択された機能が動作を開始した状態で、より優先度の高い機能の割込みが発生すると、実行中の機能の動作を止めてウェイトさせ、割込んだ機能を優先して動作する機能、動作している機能がウェイトした場合又は終了した場合、より優先度の低い機能を継続して動作させる機能、選択された機能より優先度の低い機能の割込みが発生した場合、優先度の高い機能の動作がウェイト又は終了するまで待機させる機能、割込まれた機能の動作を中断させるためにウェイト状態にする機能、より優先度の低い機能の動作がウェイト状態になる場合それを示す警報又はメッセージを出力する機能、より優先度の高い割込みが発生したことを示す警報又はメッセージを出力する機能を有する。
【０００９】
実施例２の携帯電話機は、図示しないが、上記実施例１の携帯電話機の構成に加えて、さらにＧＰＳにより現在位置を検出する位置検出部を有し、これに応じて入力部１４０に目的地及び通過地点設定部及びこれらの地点に到着したことを通報する通報先電話番号及びメールアドレス設定部を備え、また通報先電話番号及びメールアドレス送信制御部を有するたものである。
なおいずれの場合も、必要に応じた警報又はメッセージを出力することができるような構成を有する。
【００１０】
図２は機能優先選択メニュー２００の画面を示し、携帯電話機の表示部１５０にこのメニューを表示して、優先度を指定する。図２に示されるメニューの場合、各機能の優先度を、Ｂ機能、Ｃ機能、Ａ機能、Ｄ機能の順に指定している。
機能として例えば、「通話中」、「着信中」、「交信中」、「ゲーム中」、「ＧＰＳ」（「位置検出中」）等があり、携帯電話機の所有者は予め表示部に機能優先選択メニューを表示して、各機能の優先順位を指定しておく。
【００１１】
これにより、例えば実施例２の位置検出器を備えた携帯電話機を所有して、目的地及び通過地点に到着したときに位置を検出して指定した通報先に到着したことを自動送信する際、機能優先順位を指定しておかない場合は、通話中に設定地点に到着しても自動送信は不可能であるが、自動送信する機能を他の機能より優先順位を高く指定しておけば、通話中であっても設定地点に近づくと警報又はメッセージを発して警告し、設定地点に到着すると通話を中断して自動送信する。そして自動送信の終了後中断中の通話を再開する。
なおキャッチホンを利用できる場合は通話を中断し、自動送信した後通話を再開することができる。
【００１２】
図３は機能優先制御の処理フロー図を示す。
ステップＳ１００でスタートし、ステップＳ１０１で表示部に図２に例示されるような機能優先選択メニューを表示し、ステップＳ１０２で機能別に優先順位を指定しておく。ステップＳ１０３で機能優先モードに設定すると指定された機能の動作が開始する（ステップＳ１０４）。
【００１３】
携帯電話機の動作（例えば通話）中に割込みがあった場合、ステップＳ１０５でこの割込みがより高優先機能の割込みかチェックし、高優先機能の割込みであればステップＳ１０６で現在実行中の機能の動作を中断してウェイト（待機）させ、ステップＳ１０７で割込んだ機能の動作を開始させて、ステップＳ１０８で割込んだ機能の動作を実行させる。
【００１４】
ステップＳ１０５のチェックで、高優先機能の割込みでなければステップＳ１１２で割込んだ機能の動作をウェイトさせ、次いでステップＳ１１３で現在実行中の機能がウェイト又は終了かをチェックし、ウェイト又は終了でなければステップＳ１１４で現在実行中の機能を続行してステップＳ１１３へ戻り、現在実行中の機能がウェイト又は終了であればステップＳ１１１へ進む。ステップＳ１０８に続いてステップＳ１０９で割込んだ機能がウェイト中かチェックし、ウェイトであればステップＳ１１１へ進み、ウェイトでなければステップＳ１１０で終了かチェックし、終了であればステップＳ１１１で中断している機能があるかチェックし、あればステップＳ１１５で中断している機能を継続して実行し、ステップＳ１０５へ戻る。ステップＳ１１１のチェックで、中断している機能がなければステップＳ１１６で処理を終了する。
【００１５】
【発明の効果】
本発明は以上のように、携帯電話機の機能に予め優先順位を指定しておくことにより、或る機能の動作中に割込みがあった場合でも、割込んだ機能の優先順位をチェックして、予め指定した優先順位の高い機能を他に優先して動作させることができる。
【図面の簡単な説明】
【図１】実施例１の携帯電話機の構成を示すブロック図。
【図２】機能優先選択メニューの画面。
【図３】機能優先制御の処理フロー図。
【符号の説明】
１００　携帯電話機
２００　機能優先選択メニュー
【図１】
2004015717.tif 000003
【図２】
2004015717.tif 000004
【図３】
2004015717.tif 000005